(57)【要約】【課題】従来の衣類カバーは、ハンガーのフックを通すための開口部とハンガーとの間に隙間があいているため、そこから虫が侵入したり、中の防虫剤が漏れたりして、十分な防虫効果が得られなかった。【解決手段】衣類カバー１の開口部４を塞ぐ手段を設けることにより、気密性に優れた衣類カバーを提供する。塞ぐ手段としては、巾着の原理を用いる方法、紐ストッパーを用いる方法などがある。さらに、ハンガーのフックの直線部分に凸部または凹部を設けることで、衣類カバーの開口部をその個所で絞めた場合に一層高い気密性を確保する。【選択図】図１
2014218301.tif 000002
【特許請求の範囲】
【請求項１】
衣類カバー上部の開口部を塞ぐ手段を設けたことを特徴とする衣類カバー。
【請求項２】
フックの直線部分に、フックの直線部分を回転軸とする回転体状の凸部または凹部を設けたことを特徴とするハンガー
【発明の詳細な説明】
【技術分野】
【０００１】この発明は、虫から衣類を保護するための衣類カバーに関するものである。
【背景技術】
【０００２】従来、衣類を保管する際には、衣類カバーが使用されている。衣類をハンガーにかけて、その上から衣類カバーで覆えば、衣類に塵や埃が付着するのを防ぐことができる。
【発明の概要】
【発明が解決しようとする課題】
【０００３】しかし従来の衣類カバーでは、防虫性については、十分とは言えなかった。なぜなら、衣類をハンガーにかけて、その上から衣類カバーをかけてクローゼットなどに吊した際、裾のほうは袋状にすることで気密性が確保できるが、上の部分ではハンガーのフックと衣類カバーの開口部との間に隙間が生じでしまうため、気密性に乏しく、そこから虫が入ることがあったからである。【０００４】さらに、仮に衣類カバーの内側に防虫剤を入れても、揮発した防虫成分がその隙間から外に出てしまうため、長期間にわたって防虫効果を得ることが難しかった。本発明は、以上のような欠点をなくすためになされたものである。
【課題を解決するための手段】
【０００５】以上の課題を解決するために、衣類カバーの上の開口部を塞げるようにする。特に、塞ぐ手段として巾着の原理を用いれば、利用者は単に紐を引っ張るだけで首の部分を絞めることができ、絞めた部分を広げるのも容易であるので、利便性を高めることができる。この衣類カバーは、いろいろなハンガーと組み合わせて使用できるが、特にハンガーのフックの直線部分に出っ張った部分やへこんだ部分をつければ，出っ張った部分のすぐ上の部分、あるいはへこんだ部分を絞めることで、虫が一層侵入しにくくなる。
【発明の効果】
【０００６】この衣類カバーは気密性が高く、外から虫が入りにくく、かつ中に防虫剤を入れた場合それが外に漏れにくいので、高い防虫効果が得られる。さらに、開口部を巾着構造にするか、または紐ストッパーを用いれば、絞めたり緩めたりするのが容易であるので、高い利便性が得られる。さらに、ハンガーのフックの直線部分に設けられた凹凸によって、縛った個所がずり落ちない効果と、気密性を一層高める効果が生ずる。
【図面の簡単な説明】
【０００７】
【図１】本発明の実施例１の正面図である。
【図２】本発明の実施例２の正面図である。
【図３】フックの直線部分に凸部または凹部を設けた場合のフックの正面図である。
【発明を実施するための形態】
【実施例１】
【０００８】図１に示す実施例は、衣類カバー１の上部を塞ぐ手段として、日本古来の巾着を用いるものである。衣類カバー１は、ハンガー２にかけられた衣類を覆うことによって虫の侵入を防ぐものである。衣類を衣類カバー１の中に収納する際や取り出す際にはファスナー３を開く。しかしファスナー３を閉じれば袋状になり、衣類カバー１上部の開口部４以外の個所から虫が侵入する可能性はなくなる。【０００９】上部の開口部４は、ハンガーのフック５を通すために必要であるが、虫の侵入経路にもなる。従って上部の開口部４を塞ぐ機能を設ければ、高い防虫機能を達成することができる。そのため、本実施例では巾着の原理を用いる。ここで巾着は、袋の口に紐が通してあり、口を紐で絞めることで閉じられるようにしたものである。【００１０】衣類カバーは布、ビニール、不織布など虫を通さない素材を用いて作られる。巾着を形成するには、開口部４で素材を折り返して、縫い目６で縫い付けることで、中に紐を通すための空洞を作る。縫い付けるかわりに接着しても良い。さらに、紐を取り出すための紐通し穴７および８を設ける。なお従来の巾着袋では、これらの紐通し穴が袋の内側に開いている場合もあるが、本発明においては、より高い気密性を確保するため、穴は外側に開けることが望ましい。【００１１】紐通し穴７および８から空洞に２本の紐を通し、同じ紐の両端を結び目１１および１２で結ぶなどの方法で、それぞれループ状にする。ループ状の紐の一方は紐通し穴７、もう１方は紐通し穴８から引き出す。この状態において、紐９と紐１０を持って両側に紐を引っ張れば、開口部４を閉じることができ、気密性が確保できる。また開口部４を両側から手で引っ張れば、開口部４を開けることができる。従って、利用者は簡単に開口部４を開閉できる。
【実施例２】
【００１２】図２に示す実施例は、衣装カバー１の上部を塞ぐ手段として、公知技術である紐ストッパー２０を用いるものである。紐ストッパーは、コードストッパーとも呼ばれる。【００１３】この場合、紐２１は結び目２２で両端が結ばれてループ状になっている。紐２１と衣装カバー１とが離れないよう、結合部２３において、着脱可能な形で，または恒久的に結合されている。結合の手段としては、たとえばミシンで縫い付ける方法、接着剤で接着する方法、スラックスにおいてベルトを通すために設けられているようなループを設けてその中に紐を通す方法などが考えられる。【００１４】利用者が開口部４を絞めるには、片手で紐ストッパー２０を持ち、もう一方の手で紐２１を引っ張る。開ける場合には、紐ストッパー２０を引っ張る。なお紐ストッパー２０にはバネなどで紐をロックする機能がついている場合があるが、その場合には、紐ストッパー２０を押せばロックが解除され、動かすことができる。【００１５】以上述べた実施例１と実施例２では、巾着を用いた例と紐ストッパー２０を用いた場合について述べたが、このほかに、普通の紐やベルト等で単に縛っても、開口部４を塞ぐ目的を達成することができる。その場合、紐やベルトが脱落しないよう、結合部２３を設けて紐やベルトの一部と衣装カバーとを結合させることが望ましい。【００１６】また、開口部４を塞ぐ別な方法として、開口部４の内側に糊を塗っておき、糊づけする方法もある。もっともこの場合、一度糊で塞いだ開口部４を再び開くのは困難と思われるので、開口部４は塞いたままの状態、すなわち衣類カバー１とハンガー２とが互いに結合された状態のまま、ファスナー３を開いて衣類を出し入れすることになる。【００１７】図３は、ハンガーのフック５の直線部分３０に凸部３１または凹部３２を設けた場合である。ここで凸部３１や凹部３２は、フック５の直線部分３０を軸とする回転体状になっている。衣類カバーの開口部を絞める場合、凸部３１のすぐ上もしくは凹部３２を絞めるようにすれば、気密性が高まり、一層虫が入りにくくなる。
【符号の説明】
【００１８】  １  衣類カバー
２  ハンガー
３  ファスナー
４  開口部
５  フック
６  縫い目
７  紐通し穴
８  紐通し穴
９  紐
１０  紐
１１  結び目
１２  結び目
２０  紐ストッパー
２１  紐
２２  結び目
２３  結合部
３０  直線部分
３１  凸部
３２  凹部
【図１】
2014218301.tif 000003
【図２】
2014218301.tif 000004
【図３】
2014218301.tif 000005